(57)【要約】【課題】光の状況に応じて、より見やすい表示を行うことが可能な電子カメラを提供する。【解決手段】デジタルカメラ１は、その背面にライブビュー表示などを行う液晶ディスプレイ（ＬＣＤ）５を備える。デジタルカメラ１の全体制御部は、ＬＣＤ５に対する主入射光線の入射状態を、主入射光線のＬＣＤ５に対する入射の向きに応じて分類して判定する。そして、デジタルカメラ１の表示制御部は、その判定結果（具体的には、「逆光状態」「順光状態」「拡散光状態」等のいずれであるか）に応じて、ＬＣＤ５における表示輝度を変更する。【選択図】　　　　図６
2004015597.tif 000002
【特許請求の範囲】
【請求項１】
電子カメラであって、
情報を表示する表示手段と、
前記表示手段に対する主入射光線の入射状態を、前記主入射光線の前記表示手段に対する入射の向きに応じて分類して判定する判定手段と、
前記判定手段により判定された入射状態に応じて、前記表示手段における表示輝度を変更する表示制御手段と、
を備えることを特徴とする電子カメラ。
【請求項２】
請求項１に記載の電子カメラにおいて、
前記表示手段は、透過型液晶ディスプレイであり、
前記表示制御手段は、前記判定手段によって前記入射状態が順光状態であると判定された場合には、順光状態以外の所定の状態であると判定された場合よりも前記表示手段における表示輝度を増大させることを特徴とする電子カメラ。
【請求項３】
請求項１に記載の電子カメラにおいて、
前記表示手段は、反射型液晶ディスプレイおよび反射透過併用型液晶ディスプレイのいずれかであり、
前記表示制御手段は、前記判定手段によって前記入射状態が順光状態であると判定された場合には、順光状態以外の所定の状態であると判定された場合よりも前記表示手段における表示輝度を減少させることを特徴とする電子カメラ。
【請求項４】
請求項１ないし請求項３のいずれかに記載の電子カメラにおいて、
前記主入射光線の色温度を検出する色温度検出手段、
をさらに備え、
前記判定手段は、前記色温度検出手段による検出結果に基づいて、前記入射状態が、（１）順光状態あるいは逆光状態、および、（２）拡散光状態のうちのいずれであるかを判定することを特徴とする電子カメラ。
【請求項５】
電子カメラであって、
光電変換を用いて被写体に関する画像信号を得る撮像手段と、
透過型液晶ディスプレイを用いて構成される表示手段と、
前記画像信号に基づいて前記表示手段における入射状態が順光状態であるか否かを判定する判定手段と、
前記判定手段により順光状態であると判定された場合には、前記順光状態以外の所定の状態であると判定された場合に比べて、前記表示手段における表示輝度を増大させる表示制御手段と、
を備えることを特徴とする電子カメラ。
【発明の詳細な説明】
【０００１】
【発明の属する技術分野】
本発明は、液晶ディスプレイなどの表示手段を備える電子カメラに関する。
【０００２】
【従来の技術】
電子カメラにおいては、ライブビューあるいは再生画像を表示するなどのために、背面液晶ディスプレイあるいは電子ビューファインダ（ＥＶＦ）などの表示手段が設けられている。そして、このような表示手段には見やすさが求められる。
【０００３】
このような表示手段における見やすさを考慮する従来技術としては、特開２００１−３０９２１１号に記載される技術が存在する。
【０００４】
この文献には、環境光の輝度等に応じて、表示手段における輝度等を変更することにより、表示形態の最適化を図る技術が記載されている。具体的には、環境光の輝度が低い場合には電子ビューファインダの輝度を低下させるように制御されることなどが記載されている。
【０００５】
【発明が解決しようとする課題】
しかしながら、電子カメラの利用場面によっては、環境光の輝度のみに応じて表示手段の輝度を変更しても、見やすい画面とならないこともあり得る。たとえば、昼間の晴天時に逆光あるいは順光の下で撮影するときなどにおいては、表示手段における表示が見にくくなることもある。
【０００６】
そこで、本発明は前記問題点に鑑み、光の状況に応じて、より見やすい表示を行うことが可能な電子カメラを提供することを目的とする。
【０００７】
【課題を解決するための手段】
上記目的を達成するため、請求項１の発明は、電子カメラであって、情報を表示する表示手段と、前記表示手段に対する主入射光線の入射状態を、前記主入射光線の前記表示手段に対する入射の向きに応じて分類して判定する判定手段と、前記判定手段により判定された入射状態に応じて、前記表示手段における表示輝度を変更する表示制御手段と、を備えることを特徴とする。
【０００８】
請求項２の発明は、請求項１の発明に係る電子カメラにおいて、前記表示手段は、透過型液晶ディスプレイであり、前記表示制御手段は、前記判定手段によって前記入射状態が順光状態であると判定された場合には、順光状態以外の所定の状態であると判定された場合よりも前記表示手段における表示輝度を増大させることを特徴とする。
【０００９】
請求項３の発明は、請求項１の発明に係る電子カメラにおいて、前記表示手段は、反射型液晶ディスプレイおよび反射透過併用型液晶ディスプレイのいずれかであり、前記表示制御手段は、前記判定手段によって前記入射状態が順光状態であると判定された場合には、順光状態以外の所定の状態であると判定された場合よりも前記表示手段における表示輝度を減少させることを特徴とする。
【００１０】
請求項４の発明は、請求項１ないし請求項３のいずれかの発明に係る電子カメラにおいて、前記主入射光線の色温度を検出する色温度検出手段、をさらに備え、前記判定手段は、前記色温度検出手段による検出結果に基づいて、前記入射状態が、（１）順光状態あるいは逆光状態、および、（２）拡散光状態のうちのいずれであるかを判定することを特徴とする。
【００１１】
請求項５の発明は、電子カメラであって、光電変換を用いて被写体に関する画像信号を得る撮像手段と、透過型液晶ディスプレイを用いて構成される表示手段と、前記画像信号に基づいて前記表示手段における入射状態が順光状態であるか否かを判定する判定手段と、前記判定手段により順光状態であると判定された場合には、前記順光状態以外の状態であると判定された場合に比べて、前記表示手段における表示輝度を増大させる表示制御手段と、を備えることを特徴とする。
【００１２】
【発明の実施の形態】
以下、この発明の実施の形態について図面を参照しつつ詳細に説明する。
【００１３】
＜１．第１実施形態＞
＜構成概要＞
図１、図２及び図３は、本発明の実施形態に係るデジタルカメラ（より詳細にはデジタルスチルカメラ）１の外観構成を示す図であり、図１は正面図、図２は上面図、図３は背面図に相当する。これらの図は必ずしも三角図法に則っているものではなく、デジタルカメラ１の外観を例示することを主眼としている。
【００１４】
デジタルカメラ１の正面側には撮影レンズ２が設けられる。この撮影レンズ２はズーム機能を有しており、ズームリング２ａを手動操作で回動させることによって撮影倍率の変更を行うことができるように構成される。
【００１５】
また、デジタルカメラ１の上面にはシャッタボタン（レリーズボタン）９が設けられており、該シャッタボタン９はユーザによる半押し状態（状態Ｓ１とも称する）と全押し状態（状態Ｓ２とも称する）とを区別して検出可能な２段階押し込みスイッチとなっており、自動合焦モードが設定されている場合には半押し状態のときに自動合焦制御を開始し、全押し状態のときに記録用画像を撮影するための本撮影動作を開始する。
【００１６】
また、デジタルカメラ１の上面には、「撮影モード」と「再生モード」と「通信モード」とを切替設定するモード切替えダイアル３が設けられている。撮影モードは被写体の撮影を行って画像データの生成を行うモードであり、撮影モードはさらに静止画像撮影モードと動画像撮影モードとに細分化されている。また、再生モードはメモリカード９０に記録された画像データを、デジタルカメラ１の背面側に設けられた液晶ディスプレイ（ＬＣＤ）５に再生表示するモードである。さらに通信モードはデジタルカメラ１の側面に設けられる外部接続インタフェース３８を介して、外部コンピュータ９１等とのデータ転送を行うモードである。このように、デジタルカメラ１は、画像の撮影機能と画像の再生機能とを有している。
【００１７】
デジタルカメラ１の背面には、本撮影動作前のプレビュー用の表示（すなわち、ライブビュー表示）及び記録画像の再生表示等を行うための液晶ディスプレイ５（以下、ＬＣＤとも称する）と、電子ビューファインダ（以下、ＥＶＦとも称する。）４とが設けられている。これらのＬＣＤ５及びＥＶＦ４では、それぞれカラー画像の表示が行われる。
【００１８】
ＬＣＤ５は、液晶および光源を用いて構成される表示部である。ＬＣＤ５には、ライブビュー画像および撮影画像などの画像を含む各種の情報が表示される。ＬＣＤ５としては、透過型液晶ディスプレイ、反射型液晶ディスプレイ、反射透過併用型液晶ディスプレイなどのタイプのものを採用することが可能である。
【００１９】
液晶自身は発光しないため、液晶ディスプレイ（ＬＣＤ）は各方向から光を採り入れることによって画像を見せることが可能になる。この光の採り入れ方によって、液晶ディスプレイは上記の各タイプに分類される。
【００２０】
このうち、透過型液晶ディスプレイは、液晶層の裏側（奥側）に所定の光源（以下、バックライトとも称する）を設け、その光源からの光が液晶層を透過することによって、画像等を表示するものである。
【００２１】
また、反射型液晶ディスプレイは、入射光を反射する反射層（反射板）を液晶層の裏側（奥側）に設け、液晶層のおもて側（手前側）からの光を反射することによって画像等を表示するものである。光源としては、外光（環境光）のみを用いる場合もあるが、一定程度以上の明るさを確保するために、通常、液晶層のおもて側（手前側）に設けられた所定の光源（以下、フロントライトとも称する）が光源として用いられる。
【００２２】
さらに、反射透過併用型液晶ディスプレイ（半透過型液晶ディスプレイとも称する）は、液晶層の裏側に設けられた反射層（反射板）が液晶層のおもて側からの光を反射するとともに液晶層の裏側からの光を透過するタイプのディスプレイである。端的に言えば、上記の反射板がハーフミラーの役割を果たすのである。より具体的には、この反射透過併用型液晶ディスプレイにおいては、通常、フロントライトは設けられずバックライトのみが光源として設けられる。そして、液晶層のおもて側からの外光（環境光）が反射板で反射されるとともに、液晶層の裏側に設けられたバックライトからの光がその反射板を透過するのである。バックライトを用いることにより、外光の光量が少ない場所でも画像等を表示することが可能になる。
【００２３】
この第１実施形態においては、ＬＣＤ５として透過型液晶ディスプレイを採用する場合について説明する。なお、他のタイプの液晶ディスプレイを採用する場合については他の実施形態において説明する。
【００２４】
また、デジタルカメラ１の背面にはメニューボタン６が設けられており、このメニューボタン６が押下されることによって各種メニュー画面がＬＣＤ５に表示される。また、デジタルカメラ１の背面には、ＬＣＤ５における表示カーソルを４方向に移動させるための十字カーソルボタン及び十字カーソルボタンの中央部に設けられる決定ボタンで構成されるコントロールボタン７が設けられる。これらメニューボタン６及びコントロールボタン７を用いて各種撮影パラメータの設定操作が行われる。各種撮影パラメータの設定状態はデジタルカメラ１の上面側に配置されるデータパネル８に表示される。なお、デジタルカメラ１の背面には上記の他にも拡大ボタン３５ａ等の各種操作ボタンが配置される。
【００２５】
さらに、デジタルカメラ１の側面には、着脱自在な記録媒体であるメモリカード９０の挿入装着部が設けられており、本撮影によって得られる画像データはこの挿入装着部にセットされるメモリカード９０に記録される。
【００２６】
＜内部構成＞
次に、デジタルカメラ１の内部構成について説明する。図４は、デジタルカメラ１の内部機能を示すブロック図である。
【００２７】
撮影レンズ２はレンズ駆動部３１によって駆動され、ＣＣＤ撮像素子１０に結像される像の合焦状態を変化させるように構成される。なお、自動合焦（オートフォーカス）設定時には全体制御部２０において画像から自動的に撮影レンズ２のレンズ駆動量が決定され、このレンズ駆動量に基づいて撮影レンズ２が駆動されるのに対し、手動合焦（マニュアルフォーカス）設定時にはユーザによるコントロールボタン７の操作量に応じてレンズ駆動量が決定され、このレンズ駆動量に基づいて撮影レンズ２が駆動される。
【００２８】
ＣＣＤ撮像素子１０は被写体像を撮影して電子的な画像信号を生成する撮像手段として機能するものであり、所定数の画素を有し、撮影レンズ２によって結像された被写体の光像を、画素毎にＲ（赤），Ｇ（緑），Ｂ（青）の色成分の画像信号（各画素で受光された画素信号の信号列からなる信号）に光電変換して出力する。タイミングジェネレータ３２は、ＣＣＤ撮像素子１０の駆動を制御するための各種のタイミングパルスを生成するものである。
【００２９】
ＣＣＤ撮像素子１０から得られる画像信号は信号処理回路１１に与えられ、信号処理回路１１において画像信号（アナログ信号）に対して所定のアナログ信号処理が施される。信号処理回路１１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３０】
Ａ／Ｄ変換器１２は、画像信号の各画素信号を１２ビットのデジタル信号に変換するものである。Ａ／Ｄ変換器１２は、全体制御部２０から入力されるＡ／Ｄ変換用のクロックに基づいて各画素信号（アナログ信号）を１２ビットのデジタル信号に変換する。
【００３１】
ＷＢ（ホワイトバランス）回路１３は、Ｒ，Ｇ，Ｂの各色成分のレベル変換を行うものである。ＷＢ回路１３は、全体制御部２０で記憶されるレベル変換テーブルを用いてＲ，Ｇ，Ｂの各色成分のレベルを変換する。なお、レベル変換テーブルの各色成分のパラメータ（特性の傾き）は全体制御部２０により、オートまたはマニュアルで、撮影画像毎に設定される。γ補正回路１４は、画素データの階調を補正するものである。
【００３２】
色補正部１５は、γ補正回路１４から入力される画像データに対し、ユーザから設定された色補正に関するパラメータに基づいて色補正を行うとともに、ＲＧＢ色空間で表現されたカラー情報をＹＣｒＣｂ色空間で表現されたカラー情報に変換する。この表色系変換により、全画素について輝度成分値が得られることになる。
【００３３】
解像度変換部１６は、ＣＣＤ撮像素子１０から得られる画像データに対して所定の解像度変換や、領域の切り出しを行うものである。
【００３４】
なお、ライブビュー表示時には、解像度変換部１６によって所定の解像度変換が施された画像データ（画像信号）は、全体制御部２０を介して表示制御部３３に与えられ、ＬＣＤ５及びＥＶＦ４に対してライブビュー画像の表示が行われるとともに、測光演算部１８にも与えられ、自動露出（ＡＥ）制御用の評価値が算出される。これに対し、自動合焦制御時には、解像度変換部１６によって所定の解像度変換が施された画像データは、ＡＦ評価値演算部１７に与えられ、自動合焦（ＡＦ）制御用の評価値が算出される。このように、ライブビュー時および自動合焦制御時には、それぞれ所定の処理が行われるとともに、被写体に関する画像がＬＣＤ５などに表示される。
【００３５】
ＡＦ評価値演算部１７はユーザによってシャッタボタン９が半押し状態とされた場合に機能し、コントラスト方式の自動合焦制御を行うための評価値演算動作が行われる。ここでは、解像度変換部１６から得られるＡＦ評価領域の画像成分に基づいて、水平方向に隣接する２画素間での差分絶対値の総和がＡＦ用評価値として算出される。そしてＡＦ評価値演算部１７において算出されるＡＦ用評価値は全体制御部２０へと出力される。
【００３６】
測光演算部１８では、解像度変換部１６から出力される画像データを小ブロックに分割し、各小ブロックの代表輝度値に基づいてＡＥ用評価値を算出する。測光演算部１８において算出されるＡＥ用評価値は全体制御部２０へと出力される。
【００３７】
画像メモリ３４は、本撮影時にＣＣＤ撮像素子１０で取得され、上記の画像処理が施された画像データを一時的に記憶するメモリである。画像メモリ３４は、少なくとも１フレーム分の記憶容量を有している。そして本撮影後に画像のアフタービュー表示等が行われる場合には、画像メモリ３４から表示制御部３３に画像データが与えられ、撮影画像を確認するための画像表示が行われる。また、ユーザによって記録指示が与えられた場合には、画像メモリ３４からメモリカード９０に対して画像データが転送され、画像データの記録保存が行われる。
【００３８】
カードインタフェース（カードＩ／Ｆ）３７は、デジタルカメラ１側面の挿入装着部に対して装着されるメモリカード９０への画像データの書込み及び読出しを行うためのインタフェースである。メモリカード９０に対する画像データの読み書き時には、圧縮・伸張部３６において例えばＪＰＥＧ方式で画像データの圧縮処理又は伸張処理が行われる。また、外部接続インタフェース（外部接続Ｉ／Ｆ）３８は通信ケーブル等を介して外部コンピュータ９１と通信可能にするためのインタフェースであり、例えばＵＳＢ規格に準拠した通信用インタフェース等で実現される。これらカードＩ／Ｆ３７、外部接続Ｉ／Ｆ３８を介して、メモリカード９０や外部コンピュータ９１にセットされるＣＤ−ＲＯＭ等の記録媒体に記録される制御プログラムを、全体制御部２０のＲＡＭ２０ａ又はＲＯＭ２０ｂ内に取り込むことができる。
【００３９】
操作部３５は、上述したモード切替えダイアル３、メニューボタン６、コントロールボタン７、シャッタボタン９及び拡大ボタン３５ａ等を含む操作部であり、ユーザがデジタルカメラ１の設定を操作する部材である。
【００４０】
また、表示制御部３３は、全体制御部２０と協働して、ＬＣＤ５に対する入射状態（後述）に応じて、ＬＣＤ５における表示輝度を制御する機能を有している。
【００４１】
全体制御部２０は内部にＲＡＭ２０ａ及びＲＯＭ２０ｂを備えたマイクロコンピュータによって構成され、マイクロコンピュータが所定の制御プログラムを実行することにより、上記各部を統括的に制御する制御手段として機能する。
【００４２】
図５は、全体制御部２０の一部の機能的構成等を示す機能ブロック図である。図５に示すように、全体制御部２０は、輝度検出部２１、色温度検出部２２、および順光／逆光検出部２３を有している。そして、後述するように、全体制御部２０のうち、これらの検出部２１，２２，２３は、ＬＣＤ５に対する主入射光線の入射状態を判定する判定部として機能する。各検出部２１，２２，２３の詳細動作については後述する。
【００４３】
＜入射状態および輝度制御＞
上述したように、全体制御部２０は、ＬＣＤ５に対する主入射光線の入射状態を、主入射光線のＬＣＤ５に対する入射の向きに応じて分類して判定する機能を有している。ここで、「主入射光線」とは、ＬＣＤ５に入射する外光のうち主要な光を意味するものとする。言い換えれば、「主入射光線」は、ＬＣＤ５に入射する複数の外光光線のうちＬＣＤ５における表示に関して最も影響を与える光線であるということになる。
【００４４】
図６は、ＬＣＤ５に対する外光（環境光）の入射状態について説明する図である。図６（ａ）は「逆光状態」を示し、図６（ｂ）は「順光状態」を示し、図６（ｃ）は「拡散光状態」を示す。
【００４５】
「逆光状態」とは、図６（ａ）に示すように、ＬＣＤ５に対する主入射光線ＬＢが、ＬＣＤ５からデジタルカメラ１の操作者Ｐ（図においては操作者の眼が示されている）の方へと向かう向きに入射する状態を意味するものとする。端的に言えば、逆光状態は、ＬＣＤ５の背後（ここではデジタルカメラ１の前側）から主入射光線ＬＢが入射する状態である。この場合、操作者ＰからＬＣＤ５への向きと、ＬＣＤ５に対する主入射光線ＬＢの入射の向きとが概略「逆向き」になっている。
【００４６】
「順光状態」とは、「逆光状態」と反対の状態であり、図６（ｂ）に示すように、ＬＣＤ５に対する主入射光線ＬＢがデジタルカメラ１の操作者Ｐの方からＬＣＤ５へと向かう向きに入射する状態を意味するものとする。端的に言えば、順光状態は、ＬＣＤ５の表示面側（ここではデジタルカメラ１の背面側）から主入射光線ＬＢが入射する状態である。この場合、操作者ＰからＬＣＤ５への向きと、ＬＣＤ５に対する主入射光線ＬＢの入射の向きとが概略同じ向きになっている。
【００４７】
「拡散光状態」とは、「順光状態」と「逆光状態」との中間の状態であり、図６（ｃ）に示すように、散乱等により顕著な方向性（指向性）を有しない光線がＬＣＤ５に対して入射する状態を意味するものとする。
【００４８】
この実施形態においては、太陽による昼光が指向性をもってＬＣＤ５に入射している場合には、「順光状態」および「逆光状態」のいずれかの状態であると判定し、太陽による昼光以外の光が入射している場合及び曇天のように太陽光が指向性をもってＬＣＤ５に入射しない場合に、「拡散光状態」であると判定するものとする。
【００４９】
また、後述するように、この実施形態においては、「夜間状態」であるか否かをも併せて判定する。「夜間状態」とは、夜間などにおいて、照明光の光量が少ない状態、いわゆる「暗い」状態、を意味するものとする。
【００５０】
全体制御部２０は、ＬＣＤ５に対する主入射光線の入射状態が、上記の４つの状態のいずれに該当するかを判定する。具体的には、ＣＣＤ撮像素子１０により取得された画像信号に基づいて、入射状態を判定する。判定基準および判定動作については後に詳述する。
【００５１】
また、表示制御部３３は、全体制御部２０による判定結果に応じて、すなわち、ＬＣＤ５に対する主入射光線の入射状態に応じて、ＬＣＤ５における表示輝度を制御する。具体的には、ＬＣＤ５のバックライト（光源）への供給電流を増減し、バックライトの発光輝度を増減することによって、ＬＣＤ５における「表示輝度」を増減する。
【００５２】
この明細書においては、「表示輝度」は、外光以外の光（たとえば、ＬＣＤ５に内蔵された光源からの光）に起因する輝度を意味するものとする。換言すれば、「表示輝度」は、装置（デジタルカメラなど）によって増減可能な輝度成分を意味し、外光（環境光）の反射による輝度成分は除外するものとする。
【００５３】
また、「表示輝度」の制御手法は、上述のようなバックライト（光源）への供給電流の増減によるものに限定されない。たとえば、画像処理を用いて表示画像の平均画素値を増大させることによって、バックライトなどの光源からの透過光量を増大させて「表示輝度」を増大させるようにしてもよい。
【００５４】
上述したように、この第１実施形態においては、ＬＣＤ５として透過型液晶ディスプレイを採用する場合について説明する。上述したように、透過型液晶ディスプレイは、光源としてバックライトを有している。
【００５５】
図７は、各状態におけるバックライトの発光輝度をテーブル（表）形式で示す図である。ＬＣＤ５のバックライトは白色ＬＥＤにより構成されており、図７においては当該白色ＬＥＤに対する供給電流も併せて示されている。
【００５６】
図７に示すように、夜間状態においては白色ＬＥＤに電流Ｉ０を流し、拡散光状態においては白色ＬＥＤに電流Ｉ１を流し、逆光状態においては白色ＬＥＤに電流Ｉ２を流し、順光状態においては白色ＬＥＤに電流Ｉ３を流す。これにより、白色ＬＥＤを用いたバックライトの発光輝度は、各状態において、それぞれ、値Ｌ０，Ｌ１，Ｌ２，Ｌ３となる。具体的には、値Ｌ０は、夜間状態におけるバックライトの発光輝度であり、値Ｌ１は拡散光状態におけるバックライトの発光輝度であり、値Ｌ２は逆光状態におけるバックライトの発光輝度であり、Ｌ３値は順光状態におけるバックライトの発光輝度である。
【００５７】
ところで、夜間状態における外光の入射光量Ａ０と、拡散光状態における外光の入射光量Ａ１と、逆光状態における外光の入射光量Ａ２と、順光状態における外光の入射光量Ａ３との関係は、
Ａ０＜Ａ１＜Ａ２＜Ａ３、
となる。すなわち、各状態におけるＬＣＤ５への外光の入射光量は、夜間状態において最も少なく、順光状態において最も多くなる。また、逆光状態においては順光状態よりも少なく、拡散光状態においては逆光状態よりも少なくなる。
【００５８】
また、透過型液晶ディスプレイを用いた場合には、ＬＣＤ５の表示面への外光の入射光量が多いほど、ＬＣＤ５の表示面での反射光が多くなり見づらくなる。
【００５９】
そこで、表示制御部３３は、ＬＣＤ５の表示面への外光の入射光量が多くなるにつれて、バックライトの発光輝度を増大させてＬＣＤ５の液晶層からの透過光量を多くする。具体的には、電流値Ｉ０，Ｉ１，Ｉ２，Ｉ３が、次のような大小関係、すなわち、
Ｉ０＜Ｉ１＜Ｉ２＜Ｉ３、
を有するように制御することによって、各発光輝度値Ｌ０，Ｌ１，Ｌ２，Ｌ３が、
Ｌ０＜Ｌ１＜Ｌ２＜Ｌ３、
となるように制御する。言い換えれば、表示制御部３３は、拡散光状態における発光輝度Ｌ１が夜間状態における発光輝度Ｌ０よりも大きく、かつ、逆光状態における発光輝度Ｌ２が拡散光状態における発光輝度Ｌ１よりも大きく、かつ、順光状態における発光輝度Ｌ３が逆光状態における発光輝度Ｌ２よりも大きくなるように、ＬＣＤ５に対する供給電流を変更してＬＣＤ５における発光輝度を制御する。
【００６０】
これによれば、拡散光状態の場合には、夜間状態に比べてＬＣＤ５の表示輝度が向上するので、視認性が向上しＬＣＤ５が見やすくなる。
【００６１】
また、逆光状態の場合には、拡散光状態に比べてＬＣＤ５の表示輝度が向上するので、視認性が向上しＬＣＤ５が見やすくなる。
【００６２】
さらに、順光状態の場合には、その他の状態（特に逆光状態）に比べてＬＣＤ５の表示輝度が向上するので、視認性が向上しＬＣＤ５が見やすくなる。
【００６３】
以上のように、この第１実施形態のデジタルカメラによれば、ＬＣＤ５の視認性を向上させることができる。すなわち、デジタルカメラにおける操作性を向上させることができる。
【００６４】
＜動作＞
図８は、ＬＣＤ５における表示輝度を自動調整モードを採用して制御する場合（すなわち「オート（ＡＵＴＯ）表示」を行う場合）の動作について説明する図である。この動作は、サブルーチンとして規定されており、メインルーチンから呼び出されることなどによって適宜のタイミングで実行される場合を想定している。図８のフローチャートにおいては、ＬＣＤ５に対する主入射光線の入射状態が上記の４つの状態のいずれに該当するかを判定し、その判定結果に応じた各処理を行う様子が示されている。以下では、図８を参照しながら、入射状態をプレビュー用画像に基づいて判定しつつＬＣＤ５における表示状態を制御する動作について詳細に説明する。
【００６５】
ここでは、モード切替えダイアル３によって「撮影モード」に設定されているものとし、ＬＣＤ５においてライブビュー表示が行われているものとする。ライブビュー表示においては、ＣＣＤ撮像素子１０により取得された画像信号に基づく画像（以下、「プレビュー用画像」とも称する）がＬＣＤ５に表示されている。そして、このライブビュー表示を行うＬＣＤ５の表示輝度が以下のように制御されることになる。
【００６６】
まず、ステップＳＰ１１において、輝度検出部２１は、プレビュー用画像を用いて外光（ないし環境光）の輝度を測定する。プレビュー用画像の平均輝度は、撮影レンズ２を介してＣＣＤ撮像素子１０に入射した光量を反映した値となっている。そこで、この性質を利用して、プレビュー用画像の平均輝度を測定し、その測定結果に基づいて環境光の輝度を推定するのである。具体的には、ＣＣＤ撮像素子１０内の所定数の画素の画素値を平均化した値Ｖ１を輝度の指標値とする。
【００６７】
そして、輝度検出部２１は、この平均輝度値Ｖ１が所定の閾値ＴＨ１よりも小さいときに夜間状態であると判定する。夜間状態であると判定される場合には、次のステップＳＰ１２の分岐処理から更にステップＳＰ１３へと進んで「夜間処理」を行う。このステップＳＰ１３においては、表示制御部３３は、ＬＣＤ５のバックライトを構成する白色ＬＥＤへの供給電流の値を値Ｉ０に設定する。これにより、バックライトの輝度Ｌ０が達成される。
【００６８】
一方、平均輝度値Ｖ１が所定の閾値ＴＨ１以上のときには、夜間状態でないと判定される。夜間状態でないと判定される場合には、ステップＳＰ１４に進む。なお、平均輝度値Ｖ１が閾値ＴＨ１に等しいとき（Ｖ１＝ＴＨ１）には、夜間状態であると判定してもよい。
【００６９】
ステップＳＰ１４においては光源の色温度を検出し、光源の色温度の検出結果に応じて光源の種類を判定する。
【００７０】
具体的には、プレビュー用画像を用いて光源の色温度を測定する。そのため、まず、プレビュー用画像内の所定数の画素について、各画素のＲ（赤），Ｇ（緑），Ｂ（青）の３つの色成分ごとの平均階調値を求める。詳細には、赤色成分（Ｒ）の平均値Ｒａｖｅと、緑色成分（Ｇ）の平均値Ｇａｖｅと、青色成分（Ｂ）の平均値Ｂａｖｅとを求める。つぎに、値Ｒｇ，Ｂｇを求める。値Ｒｇは赤色成分（Ｒ）の平均値Ｒａｖｅの緑色成分（Ｇ）の平均値Ｇａｖｅに対する比の値であり（すなわち値Ｒｇ＝Ｒａｖｅ／Ｇａｖｅ）、値Ｂｇは青色成分（Ｂ）の平均値Ｂａｖｅの緑色成分（Ｇ）の平均値Ｇａｖｅに対する比の値である（すなわち値Ｂｇ＝Ｂａｖｅ／Ｇａｖｅ）。
【００７１】
図９は、値Ｒｇ，Ｂｇの組合せと光源の種類との対応関係を示す図である。この図９によれば、たとえば、各値の組合せ（Ｒｇ，Ｂｇ）が（１．０，０．４）のときには、光源の種類が白熱光であることが判る。その他の組合せについても同様であり、各値の組合せに応じて光源の種類を判定することができる。具体的には、色温度検出部２２は、各値の組合せ（Ｒｇ，Ｂｇ）と光源の種類との対応関係を示すデータを所定の記憶部に記憶しておき、検出された値（Ｒｇ，Ｂｇ）に応じて光源の種類を判定する。このようにして、色温度検出部２２は、光源の種類で表現される色温度を検出（ないし判定）することができる。
【００７２】
なお、ここでは、３つの色成分（Ｒ，Ｇ，Ｂ）ごとの平均階調値を単に用いて色温度を検出する場合について説明したが、これに限定されない。たとえば、被写体の種類に応じて、各色成分を重み付けすることによって、被写体の種類に応じた補正を行うようにしてもよい。これによれば、より正確に色温度を検出することが可能である。
【００７３】
次のステップＳＰ１５においては、色温度検出部２２は、判定された光源の種類に応じて、ＬＣＤ５に対する主入射光線の入射状態が「拡散光状態」であるか否かを判定する。具体的には、光源の種類が「曇天」、「白熱光」、「蛍光灯」のいずれかであると判定された場合には「拡散光状態」であると判定し、「昼光」の場合には「拡散光状態」ではないと判定する。すなわち、色温度を用いて拡散光状態か否かが判定されることになる。これによれば、外光の入射状態をより的確に判定することができる。また、ここでは、画像（プレビュー用画像）を用いて色温度を検出しているので、色温度検出用センサを別個に設ける場合に比べて部品点数を削減することができる。
【００７４】
拡散光状態であると判定された場合には、ステップＳＰ１６に進み、「拡散光処理」を行う。このステップＳＰ１６においては、表示制御部３３は、ＬＣＤ５のバックライトを構成する白色ＬＥＤへの供給電流の値を値Ｉ１に設定する。これにより、バックライトの輝度Ｌ１が達成される。
【００７５】
一方、拡散光状態でないと判定される場合には、ステップＳＰ１７に進む。
【００７６】
順光／逆光検出部２３は、順光状態および逆光状態の別を判定し（ステップＳＰ１７）、その判定結果に応じて「順光処理」および「逆光処理」のうちのいずれの処理を行うべきかを決定する（ステップＳＰ１８）。
【００７７】
具体的には、順光／逆光検出部２３がプレビュー用画像を用いて「順光」および「逆光」の別を検出（ないし判定）する。図１０は、その検出原理について説明する図である。
【００７８】
まず、ＣＣＤ撮像素子１０からの画像信号に基づく画像（ここではプレビュー用画像）ＰＶを、その中央部分の領域（中央領域）ＲＡとその中央領域の周辺部分の領域（周辺領域）ＲＢとに区分し、中央領域ＲＡ内の複数の画素の画素値の平均値（平均輝度）ＹＡと周辺領域ＲＢ内の複数の画素の画素値の平均値（平均輝度）ＹＢとをそれぞれ算出する。
【００７９】
そして、後者の平均輝度ＹＢを前者の平均輝度ＹＡで除した（割った）値ＹＣ（ＹＣ＝ＹＢ／ＹＡ）を求める。この値ＹＣが所定の閾値ＴＨ２よりも大きくなるとき（ＹＣ＞ＴＨ２）には「逆光状態」であると判定され、この値ＹＣが所定の閾値ＴＨ２よりも小さくなるとき（ＹＣ＜ＴＨ２）には「順光状態」であると判定される。これは、主被写体が中央部分に配置されることが多いという性質、および、逆光状態では主被写体が配置される中央部分よりも周辺部分の方が明るくなり、逆に順光状態では周辺部分よりも主被写体が配置される中央部分の方が明るくなるという性質を利用するものである。
【００８０】
なお、ＹＣ＝ＴＨ２のときには、「順光状態」および「逆光状態」のいずれに設定するようにしてもよい。ここでは、ＹＣ＝ＴＨ２のときには「逆光状態」に設定するものとする。
【００８１】
このように、順光／逆光検出部２３は、プレビュー用画像の中央領域における平均輝度ＹＡとプレビュー用画像の周辺部における平均輝度ＹＢとの比較結果に基づいて、入射状態を判定する。より詳細には、順光／逆光検出部２３は、算出値ＹＣ（＝ＹＢ／ＹＡ）と閾値ＴＨ２との大小関係に基づいて、ＬＣＤ５に対する入射光線の入射状態が「逆光状態」、「順光状態」のいずれに該当するかを検出（ないし判定）する。
【００８２】
そして、入射状態が「順光状態」と判定されるときには「順光処理」（ステップＳＰ１９）が行われ、入射状態が「逆光状態」と判定されるときには「逆光処理」（ステップＳＰ２０）が行われる。「逆光状態」においては、表示制御部３３は、ＬＣＤ５のバックライトを構成する白色ＬＥＤへの供給電流の値を値Ｉ２に設定する。これにより、バックライトの輝度Ｌ２が達成される。また、「順光状態」においては、表示制御部３３は、ＬＣＤ５のバックライトを構成する白色ＬＥＤへの供給電流の値を値Ｉ３に設定する。これにより、バックライトの輝度Ｌ３が達成される。
【００８３】
このサブルーチンにおいてはこのような処理が行われる。その後、このサブルーチンは、適宜のタイミングで繰り返し実行され、上記の表示制御が繰り返し行われる。
【００８４】
以上のようにして、デジタルカメラ１は、ＬＣＤ５に対する入射光線の入射状態が４つの状態のいずれに該当するかを判定し、その判定結果に応じてＬＣＤ５における表示輝度を制御することができる。したがって、ＬＣＤ５に対する入射光線の状態に応じて、ＬＣＤ５における表示輝度が最適化されるので、ＬＣＤ５が見やすくなり操作性が向上する。
【００８５】
特に、順光状態、逆光状態、拡散光状態の各状態に応じて表示輝度を変更しているので、ＬＣＤ５に対する主入射光線の入射状態が様々に変化する場合であっても、ＬＣＤ５における表示輝度を最適化することができる。したがって、デジタルカメラ１を持ち歩き様々な状況で撮影する場合において、ＬＣＤ５がより見やすくなり操作性が向上する。
【００８６】
また、順光状態においては、ＬＣＤ５の表示輝度が４つの状態のうち最も大きくなっているので、明るい場所でＬＣＤ５に光が直接的に差し込むような場合であっても、より見やすい表示を行うことができる。
【００８７】
なお、この実施形態においては、ステップＳＰ１４における色温度の検出結果を用いて拡散光状態か否かを判定しＬＣＤ５の表示輝度制御を行う技術が示されているが、色温度の検出結果は、外光に応じた色制御（ホワイトバランス制御など）にも利用することができる。具体的には、色温度に応じて（たとえば、「蛍光灯」であるのか「曇天」であるのかに応じて）、ホワイトバランス回路１３における色成分毎のゲインを変更すればよい。
【００８８】
＜２．第２実施形態＞
第２実施形態においては、ＬＣＤ５として、反射型液晶ディスプレイを用いる場合について説明する。その他の装置構成については、第１実施形態と同様であり、以下では、相違点を中心に説明する。
【００８９】
反射型液晶ディスプレイにおいては、バックライトの代わりにフロントライトが設けられており、このフロントライトからの光と太陽光などの外光とがディスプレイ内の反射板によって反射されてＬＣＤ５における表示に用いられる。そして、ＬＣＤ５の表示面への外光の入射光量が多いほど、ＬＣＤ５内の反射板での反射光量が多くなり、明るく見やすい表示が行われることになる。
【００９０】
ここにおいて、外光の入射光量が多い場合には、反射板で比較的多量の外光が反射される。したがって、外光の入射光量が多い場合には、外光の入射光量が少ない場合に比べてバックライトの光量を削減しても、ＬＣＤ５において所定程度の明るさを確保することが可能である。また、外光の入射光量が多い場合にも外光の入射光量が少ない場合と同レベルのバックライト光量を付与する場合には、ＬＣＤ５が必要以上に明るすぎると認識されることにもなる。
【００９１】
そこで、表示制御部３３は、ＬＣＤ５の表示面への外光の入射光量が多くなるにつれて、フロントライトの発光輝度を減少させるように制御する。具体的には、電流値Ｉ０，Ｉ１，Ｉ２，Ｉ３が、次のような大小関係、すなわち、
Ｉ０＞Ｉ１＞Ｉ２＞Ｉ３、
を有するように制御することによって、各発光輝度値Ｌ０，Ｌ１，Ｌ２，Ｌ３が、
Ｌ０＞Ｌ１＞Ｌ２＞Ｌ３、
となるように制御する。言い換えれば、表示制御部３３は、拡散光状態における発光輝度Ｌ１が夜間状態における発光輝度Ｌ０よりも小さく、かつ、逆光状態における発光輝度Ｌ２が拡散光状態における発光輝度Ｌ１よりも小さく、かつ、順光状態における発光輝度Ｌ３が逆光状態における発光輝度Ｌ２よりも小さくなるように、ＬＣＤ５に対する供給電流を変更してＬＣＤ５における発光輝度を制御する。なお、電流値Ｉ０，Ｉ１，Ｉ２，Ｉ３および発光輝度値Ｌ０，Ｌ１，Ｌ２，Ｌ３は、各状態におけるフロントライトにおける電流値および発光輝度値を表すものとする。
【００９２】
具体的には、夜間状態の場合には、他の状態に比べてフロントライトに対して最も大きな電流Ｉ０を供給する。夜間状態においては、外光が他の状態よりも少量しかＬＣＤ５の表示面に入射しないので、最も大きな電流を供給することによって、ＬＣＤ５が所定程度以上に明るい（端的に言えば十分に明るい）、と操作者に認識させるようにする。
【００９３】
拡散光状態の供給電流Ｉ１は、夜間状態の供給電流Ｉ０に比べて少なくされ（Ｉ０＞Ｉ１）、拡散光状態におけるフロントライトの輝度が夜間状態よりも減少するように制御される。拡散光状態においては、夜間状態よりも多量の外光がＬＣＤ５の表示面に入射しているので、フロントライトの発光輝度を夜間状態と同じ輝度のままにすると、ＬＣＤ５は明るすぎると認識されることになる。そこで、ＬＣＤ５が明るくなりすぎないように、その表示輝度を最適化するのである。この場合、拡散光状態においては、フロントライトへの供給電流を夜間状態よりも減らすことができるので、消費電力を低減することもできる。
【００９４】
逆光状態の供給電流Ｉ２は、拡散光状態の供給電流Ｉ１に比べて少なくされ（Ｉ１＞Ｉ２）、逆光状態におけるフロントライトの輝度が拡散光状態よりも減少するように制御される。逆光状態においては、拡散光状態よりも多量の外光がＬＣＤ５の表示面に入射しているので、フロントライトの発光輝度を拡散光状態と同じ輝度のままにすると、ＬＣＤ５は明るすぎると認識されることになる。そこで、ＬＣＤ５が明るくなりすぎないように、その表示輝度を最適化するのである。この場合、逆光状態においては、フロントライトへの供給電流を拡散光状態よりも減らすことができるので、消費電力を低減することもできる。
【００９５】
順光状態の供給電流Ｉ３は、逆光状態の供給電流Ｉ２に比べて少なくされ（Ｉ２＞Ｉ３）、順光状態におけるフロントライトの輝度が逆光状態よりも減少するように制御される。順光状態においては、逆光状態よりも多量の外光がＬＣＤ５の表示面に入射しているので、フロントライトの発光輝度を逆光状態と同じ輝度のままにすると、ＬＣＤ５は明るすぎると認識されることになる。そこで、ＬＣＤ５が明るくなりすぎないように、その表示輝度を最適化するのである。この場合、順光状態においては、フロントライトへの供給電流を逆光状態よりも減らすことができるので、消費電力を低減することもできる。
【００９６】
以上のように、第２実施形態のデジタルカメラは、ＬＣＤ５に対する入射光線の入射状態が４つの状態のいずれに該当するかを判定し、その判定結果に応じてＬＣＤ５における表示輝度を制御する。すなわち、ＬＣＤ５に対する入射光線の状態に応じて、ＬＣＤ５における表示輝度が最適化される。したがって、ＬＣＤ５を見やすくして操作性を向上させるとともに、消費電力の低減を図ることもできる。
【００９７】
特に、順光状態、逆光状態、拡散光状態の各状態に応じて表示輝度を変更しているので、ＬＣＤ５に対する主入射光線の入射状態が様々に変化する場合であっても、ＬＣＤ５における表示輝度を最適化することができる。したがって、デジタルカメラ１を持ち歩き様々な状況で撮影する場合において、ＬＣＤ５がより見やすくなり操作性が向上する。
【００９８】
また、順光状態においては、ＬＣＤ５の表示輝度が４つの状態のうち最も小さくなっているので、ＬＣＤ５が見やすくなるとともに、ＬＣＤ５の光源（フロントライト）の発光輝度を低減すること、すなわち消費電力を低減することが可能になる。
【００９９】
＜３．第３実施形態＞
第３実施形態においては、ＬＣＤ５として、反射透過併用型液晶ディスプレイ（半透過型液晶ディスプレイとも称する）を用いる場合について説明する。
【０１００】
その他の装置構成については、第１実施形態と同様であり、以下では、相違点を中心に説明する。
【０１０１】
反射透過併用型液晶ディスプレイにおいては、フロントライトではなくバックライトが設けられており、このバックライトの光と太陽光などの外光とがＬＣＤ５における表示に用いられる。具体的には、バックライトからの光が液晶層を透過し、および／または、液晶層の裏側の反射板によって反射した外光が液晶層を透過することによって、液晶層に描かれた画像が操作者に認識されることになる。
【０１０２】
ここにおいて、外光の入射光量が多い場合には、反射板で比較的多量の外光が反射される。したがって、外光の入射光量が多い場合には、外光の入射光量が少ない場合に比べてバックライトの光量を削減しても、ＬＣＤ５において所定程度の明るさを確保することが可能である。また、外光の入射光量が多い場合にも外光の入射光量が少ない場合と同レベルのバックライト光量を付与する場合には、ＬＣＤ５が必要以上に明るすぎると認識されることもなる。
【０１０３】
そこで、第２実施形態と同様に、表示制御部３３は、ＬＣＤ５の表示面への外光の入射光量が多くなるにつれて、バックライトの発光輝度を減少させるように制御する。具体的には、第２実施形態と同様に、電流値Ｉ０，Ｉ１，Ｉ２，Ｉ３が、次のような大小関係、すなわち、
Ｉ０＞Ｉ１＞Ｉ２＞Ｉ３、
を有するように制御することによって、各発光輝度値Ｌ０，Ｌ１，Ｌ２，Ｌ３が、
Ｌ０＞Ｌ１＞Ｌ２＞Ｌ３、
となるように制御する。
【０１０４】
この第３実施形態のデジタルカメラによれば、第２実施形態のデジタルカメラと同様の効果を得ることができる。
【０１０５】
＜４．その他＞
上記各実施形態においては、色温度によって拡散光状態であるか否かを判定したが、これに限定されない。たとえば、環境光輝度の大小に応じて拡散光状態であるか否かを判定するようにしてもよい。具体的には、ステップＳＰ１１（図８）において検出された平均輝度値Ｖ１が閾値ＴＨ１よりも大きくかつ閾値ＴＨ３よりも小さいとき（ＴＨ１＜Ｖ１＜ＴＨ３）に「拡散光状態」であると判定するようにしてもよい。ただし、閾値ＴＨ３は、拡散光状態と逆光状態とを区別するための閾値であり、閾値ＴＨ１よりも大きな所定の値である。
【０１０６】
また、上記各実施形態においては、撮影レンズ２とＬＣＤ５とが互いに反対側に（たとえば、デジタルカメラ１の正面側と背面側とに）に設けられている場合を例示したが、これに限定されない。
【０１０７】
たとえば、撮影レンズを有する部分とＬＣＤ５を有する部分とが互いに回転するように両部分を設けておき、撮影レンズ２とＬＣＤ５とが同一側に配置されるように回転させた後、撮影レンズ２を介して対面撮影する場合に適用してもよい。この場合、撮影レンズ２と同一側のＬＣＤ５にプレビュー用画像を表示させるに際して、プレビュー用画像に基づいてＬＣＤ５への主入射光線の入射状態を判定することができる。
【０１０８】
ただし、このような変形例においては、プレビュー用画像を用いた判定動作において、被写体Ｂとカメラ１と操作者Ｐとの位置関係が、上記実施形態におけるものとは異なっている点を考慮する。すなわち、上記実施形態においては、撮影レンズ２から被写体Ｂ（図６参照）への向きと、操作者ＰからＬＣＤ５への向きとがほぼ同じ向きであることを前提にしていたが、この変形例においては、撮影レンズから被写体への向きと、操作者からＬＣＤへの向きとがほぼ逆向きになるので、順光および逆光の判定においては、上記実施形態と逆の判定基準が用いられる。具体的には、上記の値ＹＣ（＝ＹＢ／ＹＡ）が所定の閾値ＴＨ２よりも大きくなるとき（ＹＣ＞ＴＨ２）には、ＬＣＤ５に対する主入射光線の入射状態は「順光状態」であると判定され、この値ＹＣが所定の閾値ＴＨ２よりも小さくなるとき（ＹＣ＜ＴＨ２）には、ＬＣＤ５に対する主入射光線の入射状態は「逆光状態」であると判定されればよい。
【０１０９】
さらに、上記実施形態においては、プレビュー用画像に代表される、ＣＣＤ撮像素子１０からの画像信号に基づく画像を用いて、ＬＣＤ５に対する主入射光線の入射状態を判定する場合を例示したが、これに限定されない。たとえば、ＣＣＤ撮像素子１０とは別個に設けたセンサ（輝度センサなど）を用いて、ＬＣＤ５に対する主入射光線の入射状態を判定するようにしても良い。より詳細には、デジタルカメラ１の前面側と背面側とにそれぞれ明るさを検知する輝度センサ（測光センサ）を設けておき、いずれの検出輝度が大きいかに応じてＬＣＤ５に対する主入射光線の入射の向きを判定するようにしてもよい。ただし、部品点数削減の観点からは、別個のセンサを設けることなく、上記実施形態のようにして主入射光線の向きを判定することが好ましい。
【０１１０】
また、上記実施形態においては、「撮影モード」時においてＬＣＤ５の表示輝度を調整する場合について説明したが、これに限定されず、「再生モード」時にＬＣＤ５の表示輝度を調整するようにしても良い。たとえば、別個に設けた輝度センサの出力値を利用してＬＣＤ５に対する主入射光線の入射状態を検出するようにしてもよい。あるいは、ＣＣＤ撮像素子１０からの画像信号に基づいてＬＣＤ５に対する主入射光線の入射状態を検出するようにしてもよい。
【０１１１】
さらに、上記実施形態においては、電子カメラとして、デジタルカメラ１、より詳細にはデジタルスチルカメラについて例示したが、これに限定されず、デジタルムービーカメラなどの電子カメラであってもよい。
【０１１２】
なお、上述した具体的実施形態には以下の構成を有する発明が含まれている。
【０１１３】
（１）請求項１に記載の電子カメラにおいて、
光電変換を用いて被写体に関する画像信号を得る撮像手段、
をさらに備え、
前記判定手段は、前記撮像手段による画像信号に基づいて前記入射状態を判定することを特徴とする電子カメラ。
【０１１４】
この（１）に記載の発明によれば、判定手段は、撮像手段による画像信号に基づいて入射状態を判定するので、入射状態を判定するために別途のセンサを設ける必要が無く、部品点数を削減することが可能である。
【０１１５】
（２）前記（１）に記載の電子カメラにおいて、
前記判定手段は、前記画像信号に基づく画像の中央領域における平均輝度と前記画像信号に基づく画像の周辺領域における平均輝度との比較結果に基づいて、前記入射状態を判定することを特徴とする電子カメラ。
【０１１６】
（３）請求項２に記載の電子カメラにおいて、
前記表示制御手段は、前記表示手段に設けられた光源の発光輝度を増減して前記表示輝度を制御することを特徴とする電子カメラ。
【０１１７】
（４）請求項３に記載の電子カメラにおいて、
前記表示制御手段は、前記表示手段に設けられた光源の発光輝度を増減して前記表示輝度を制御することを特徴とする電子カメラ。
【０１１８】
この（４）に記載の発明によれば、表示制御手段は、入射状態に応じて光源の発光輝度を増減して表示輝度を制御し、入射状態が順光であると判定された場合には、順光状態以外の所定の状態であると判定された場合よりも表示手段における表示輝度を減少させるので、消費電力を抑制することが可能である。
【０１１９】
（５）請求項３に記載の電子カメラにおいて、
前記判定手段は、前記色温度が昼光以外のときには、前記入射状態が拡散光状態であると判定することを特徴とする電子カメラ。
【０１２０】
（６）電子カメラであって、
光電変換を用いて被写体に関する画像信号を得る撮像手段と、
反射型液晶ディスプレイおよび反射透過併用型液晶ディスプレイのいずれかを用いて構成される表示手段と、
前記画像信号に基づいて前記表示手段における入射状態が順光状態であるか否かを判定する判定手段と、
前記判定手段により順光状態であると判定された場合には、前記順光状態以外の状態であると判定された場合に比べて、前記表示手段における表示輝度を減少させる表示制御手段と、
を備えることを特徴とする電子カメラ。
【０１２１】
この（６）に記載の発明によれば、反射型液晶ディスプレイおよび反射透過併用型液晶ディスプレイのいずれかを用いて構成される表示手段を備える電子カメラにおいて、表示手段における入射状態が順光状態であるか否かが画像信号に基づいて判定され、順光状態であると判定された場合には、順光状態以外の状態であると判定された場合に比べて表示手段における表示輝度が減少するので、順光状態において、より見やすい表示を行うことが可能である。
【０１２２】
（７）前記（６）に記載の電子カメラにおいて、
前記表示制御手段は、前記表示手段に設けられた光源の発光輝度を増減して前記表示輝度を制御することを特徴とする電子カメラ。
【０１２３】
この（７）に記載の発明によれば、表示制御手段は、入射状態に応じて光源の発光輝度を増減して表示輝度を制御し、入射状態が順光であると判定された場合には、順光状態以外の所定の状態であると判定された場合よりも表示手段における表示輝度を減少させるので、消費電力を抑制することが可能である。
【０１２４】
【発明の効果】
以上のように、請求項１に記載の発明によれば、表示手段に対する主入射光線の入射状態が入射の向きに応じて分類して判定され、判定された入射状態に応じて表示手段における表示輝度が変更されるので、光の状況に応じて、より見やすい表示を行うことが可能である。
【０１２５】
また、請求項２に記載の発明によれば、表示手段として透過型液晶ディスプレイを備える電子カメラにおいて、順光状態であると判定された場合には、順光状態以外の所定の状態であると判定された場合よりも表示手段における表示輝度が増大するので、より見やすい表示を行うことができる。
【０１２６】
さらに、請求項３に記載の発明によれば、表示手段として反射型液晶ディスプレイおよび反射透過併用型液晶ディスプレイのいずれかを備える電子カメラにおいて、順光状態であると判定された場合には、順光状態以外の所定の状態であると判定された場合よりも表示手段における表示輝度が減少するので、より見やすい表示を行うことができる。
【０１２７】
また、請求項４に記載の発明によれば、判定手段は、色温度検出手段による検出結果に基づいて、入射状態が、（１）順光状態あるいは逆光状態、および、（２）拡散光状態、のうちのいずれであるかを判定するので、入射状態をより的確に判定することができる。
【０１２８】
さらに、請求項５に記載の発明によれば、透過型液晶ディスプレイを用いて構成される表示手段を備える電子カメラにおいて、表示手段における入射状態が順光状態であるか否かが画像信号に基づいて判定され、順光状態であると判定された場合には、順光状態以外の状態であると判定された場合に比べて表示手段における表示輝度が増大するので、順光状態において、より見やすい表示を行うことが可能である。
【図面の簡単な説明】
【図１】デジタルカメラの外観構成を示す正面図である。
【図２】デジタルカメラの外観構成を示す上面図である。
【図３】デジタルカメラの外観構成を示す背面図である。
【図４】デジタルカメラの内部機能を示すブロック図である。
【図５】全体制御部の一部の機能的構成を示す機能ブロック図である。
【図６】ＬＣＤに対する入射状態について説明する図である。
【図７】各状態におけるバックライトの発光輝度等を示す図である。
【図８】ＬＣＤにおける表示輝度の制御動作を示すフローチャートである。
【図９】値Ｒｇ，Ｂｇの組合せと光源の種類との関係を示す図である。
【図１０】「順光状態」および「逆光状態」の検出について説明する図である。
【符号の説明】
１　デジタルカメラ
２　撮影レンズ
５　液晶ディスプレイ
Ｉ０，Ｉ１，Ｉ２，Ｉ３　光源（バックライト等）への供給電流
ＬＢ　主入射光線
Ｌ０，Ｌ１，Ｌ２，Ｌ３　光源（バックライト等）の発光輝度
ＰＶ　プレビュー用画像
ＲＡ　中央領域
ＲＢ　周辺領域
【図１】
2004015597.tif 000003
【図２】
2004015597.tif 000004
【図３】
2004015597.tif 000005
【図４】
2004015597.tif 000006
【図５】
2004015597.tif 000007
【図６】
2004015597.tif 000008
【図７】
2004015597.tif 000009
【図８】
2004015597.tif 000010
【図９】
2004015597.tif 000011
【図１０】
2004015597.tif 000012